Podtech/llm-jp-corpus-v4-ja_patent huggingface dataset:
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
検査方法であって、
ハッシュされたマルチレベルのデータ・オブジェクトを受信することであって、ハッシュされたマルチレベルのデータ・オブジェクトが１または複数のハッシュされた目的外データ・オブジェクトを含むこと、
１または複数のシーケンシャルなデータ鍵を受信することであって、シーケンシャルなデータ鍵の各々が、ハッシュされた目的外データ・オブジェクトに、ハッシュされたマルチレベルのデータ・オブジェクトの内部の固有のレベルで対応すること、
ハッシュされていない目的データ・オブジェクトを受信すること、
ハッシュされていない目的データ・オブジェクトをハッシュして、第Ｎレベルのハッシュされたデータ・オブジェクトを生成すること、
第Ｎレベルのハッシュされたデータ・オブジェクトを、第Ｎレベルのシーケンシャルなデータ鍵を用いてグループ分けして、第Ｎレベルのオブジェクト／鍵のペアを生成すること、および
第Ｎレベルのオブジェクト／鍵のペアをハッシュして、第（Ｎ＋１）レベルのハッシュされたデータ・オブジェクトを生成することを含み、
第Ｎレベルのハッシュされたデータ・オブジェクトのグループ分け、および第Ｎレベルのオブジェクト／鍵のペアのハッシュがシーケンシャルなデータ鍵の各々に対して繰り返されることを特徴とする検査方法。
【請求項２】
ハッシュされたマルチレベルのデータ・オブジェクトは、暗号化されハッシュされたマルチレベルのデータ・オブジェクトであり、
暗号化されハッシュされたマルチレベルのデータ・オブジェクトを復号化し、復号化されハッシュされたマルチレベルのデータ・オブジェクトを生成することを含むことを特徴とする、請求項１に記載の方法。
【請求項３】
復号化されハッシュされたマルチレベルのデータ・オブジェクトを、ハッシュされたマルチレベルのデータ・オブジェクトの妥当性を決定するために生成された最高レベルのハッシュされたデータ・オブジェクトと比較することを更に含むことを特徴とする、請求項２に記載の方法。
【請求項４】
ハッシュされていない目的データ・オブジェクトが、マイクロペイメント・トークンであることを特徴とする、請求項１に記載の方法。
【請求項５】
前記マイクロペイメント・トークンが、選択されたマイクロペイメント・トークンであることを特徴とする、請求項４に記載の方法。
【請求項６】
前記マイクロペイメント・トークンが、選択されなかったマイクロペイメント・トークンであることを特徴とする、請求項４に記載の方法。
【請求項７】
ハッシュされていない目的データ・オブジェクトが、オファー・パッケージであることを特徴とする、請求項１に記載の方法。
【請求項８】
コンピュータ読み取り可能な媒体に記録されたコンピュータ・プログラムであって、
ハッシュされたマルチレベルのデータ・オブジェクトを受信して、ハッシュされたマルチレベルのデータ・オブジェクトが１または複数のハッシュされた目的外データ・オブジェクトを含み、
１または複数のシーケンシャルなデータ鍵を受信して、シーケンシャルなデータ鍵の各々が、ハッシュされた目的外データ・オブジェクトに、ハッシュされたマルチレベルのデータ・オブジェクトの内部の固有のレベルで対応し、
ハッシュされていない目的データ・オブジェクトを受信し、
ハッシュされていない目的データ・オブジェクトをハッシュして、第Ｎレベルのハッシュされたデータ・オブジェクトを生成し、
第Ｎレベルのハッシュされたデータ・オブジェクトを、第Ｎレベルのシーケンシャルなデータ鍵を用いてグループ分けして、第Ｎレベルのオブジェクト／鍵のペアを生成し、および
第Ｎレベルのオブジェクト／鍵のペアをハッシュして、第（Ｎ＋１）レベルのハッシュされたデータ・オブジェクトを生成させ、
第Ｎレベルのハッシュされたデータ・オブジェクトのグループ分け、および第Ｎレベルのオブジェクト／鍵のペアのハッシュがシーケンシャルなデータ鍵の各々に対して繰り返されるコンピュータ・プログラム。
【請求項９】
ハッシュされたマルチレベルのデータ・オブジェクトは、暗号化されハッシュされたマルチレベルのデータ・オブジェクトであり、前記コンピュータ・プログラムが、
暗号化されハッシュされたマルチレベルのデータ・オブジェクトを復号化し、復号化されハッシュされたマルチレベルのデータ・オブジェクトを生成するための命令を含むことを特徴とする、請求項８に記載のコンピュータ・プログラム。
【請求項１０】
復号化されハッシュされたマルチレベルのデータ・オブジェクトを、ハッシュされたマルチレベルのデータ・オブジェクトの妥当性を決定するために生成された最高レベルのハッシュされたデータ・オブジェクトと比較するための命令を更に含むことを特徴とする、請求項９に記載のコンピュータ・プログラム。
【請求項１１】
ハッシュされていない目的データ・オブジェクトが、マイクロペイメント・トークンであることを特徴とする、請求項８に記載のコンピュータ・プログラム。
【請求項１２】
前記マイクロペイメント・トークンが、選択されたマイクロペイメント・トークンであることを特徴とする、請求項１１に記載のコンピュータ・プログラム。
【請求項１３】
前記マイクロペイメント・トークンが、選択されなかったマイクロペイメント・トークンであることを特徴とする、請求項１１に記載のコンピュータ・プログラム。
【請求項１４】
ハッシュされていない目的データ・オブジェクトが、オファー・パッケージであることを特徴とする、請求項８に記載のコンピュータ・プログラム。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
格納されたデータを維持するために周期的なリフレッシュを必要とする複数のメモリ・セルと、
同複数のメモリ・セルに接続された、基板バイアスを供給するための充電ポンプと、
同充電ポンプに接続された、該基板バイアスの電圧レベルを制御するポンプ・イネーブル信号を供給するための電圧調整器と、
該ポンプ・イネーブル信号を受け取るように該電圧調整器に接続された入力端子を有し、かつ応答してリフレッシュ・タイミング信号を供給するリフレッシュ計数器と、
同リフレッシュ・タイミング信号を受け取るように接続され、かつ応答して該複数のメモリ・セルのリフレッシュ動作を制御するリフレッシュ制御回路と、からなるメモリ。
【請求項２】
複数の集積回路メモリを試験する方法であって、集積回路メモリの各々が、格納されたデータを維持するために周期的なリフレッシュを必要とする複数のメモリ・セルを有し、
該複数の集積回路メモリを有する半導体ウエハを供給する工程であって、該複数の集積回路メモリの各々が、リフレッシュ・タイミング信号をリフレッシュ制御回路に供給して該複数のメモリ・セルのリフレッシュ速度を制御するリフレッシュ計数器を有するものである工程と、
該複数の集積回路メモリの各々に、該リフレッシュ制御回路に結合されたプログラム可能ヒューズ回路を設ける工程と、
該複数の集積回路メモリの各々の該複数のメモリ・セルに試験データを取り込みまた該複数のメモリ・セルから取り出すための内蔵自己試験（ＢＩＳＴ）回路を該複数の集積回路の各々に設ける工程と、
該ＢＩＳＴ回路に結合された複数のウエハ試験パッドを該半導体ウエハに設ける工程と、
該ウエハ試験パッドにウエハ・プローブ針を接触させる工程と、
該複数の集積回路の各々の該複数のメモリ・セルの電荷保持能力を測定する工程と、
該複数の集積回路の各々の該複数のメモリ・セルの電荷保持能力を解析して、該複数の集積回路の各々に対応する複数のリフレッシュ速度、１つのリフレッシュ速度を決定する工程と、
該複数の集積回路のプログラム可能ヒューズ回路の各々を対応するリフレッシュ速度でプログラムする工程と、からなる方法。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
記憶データを維持するために周期的にリフレッシュを行うことを必要とする複数のメモリセルと、
複数のテストメモリセルを備えた可変リフレッシュ制御回路であって、前記複数のテストメモリセルのそれぞれは記憶論理状態を表す電荷を蓄積するためのコンデンサを含み、前記複数のテストメモリセルのそれぞれは、前記複数のテストメモリセルの他のテストメモリセルとは異なる速度でリフレッシュされる可変リフレッシュ制御回路と、
前記複数のテストメモリセルのそれぞれの記憶論理状態を監視し、それに応じて前記複数のメモリセルのリフレッシュ速度を調節するための監視回路と
を備えたことを特徴とするメモリ。
【請求項２】
データを記憶するための複数のメモリセルを有するメモリアレイをリフレッシュするための方法であって、
前記複数のメモリセルと構造的にほぼ同じ複数のテストメモリセルを設けるステップと、
前記複数のテストメモリセルの第１部分を前記メモリアレイのリフレッシュ速度よりも低い第１リフレッシュ速度でリフレッシュするステップと、
前記複数のテストメモリセルの第２部分を前記第１リフレッシュ速度よりも高い第２リフレッシュ速度でリフレッシュするステップと、
前記複数のテストメモリセルの第１部分および第２部分の電荷蓄積能力を監視するステップと、
前記複数のテストメモリセルの第１部分および第２部分の電荷蓄積能力の監視結果に応じて、前記メモリアレイのリフレッシュ速度を調節するステップと
を備えることを特徴とする方法。
【請求項３】
データを記憶するための複数のメモリセルを有するメモリアレイをリフレッシュするための方法であって、
複数のテストメモリセルを設けるステップであって、該複数のテストメモリセルのそれぞれは、該複数のテストメモリセルの他のテストメモリセルと異なる電荷蓄積能力を有するように実現されるステップと、
前記テストメモリセルを所定のリフレッシュ速度でリフレッシュするステップと、
前記複数のテストメモリセルの電荷蓄積能力を監視するステップと、
前記複数のテストメモリセルの電荷蓄積能力の監視結果に応じて、前記メモリアレイのリフレッシュ速度を調節するステップとを備えることを特徴とする方法。
【手続補正書】
【提出日】平成19年2月1日(2007.2.1)
【手続補正１】
【補正対象書類名】特許請求の範囲
【補正対象項目名】請求項６
【補正方法】変更
【補正の内容】
【請求項６】
請求項１に記載の方法であって、前記半導体の前記表面とほぼ平行な方向に向けられた音響エネルギを生成する前記工程は、
反射面から前記半導体基板の前記表面に向かって前記音響エネルギの一部を反射する工程を備える、方法。
【手続補正２】
【補正対象書類名】明細書
【補正対象項目名】０００４
【補正方法】変更
【補正の内容】
【０００４】
図１Ｂは、単一ウエハ洗浄槽を示す説明図である。ここで、槽１０６は、洗浄溶液で満たされる。ウエハ１１０は、キャリア１０８によって支持されて、槽１０６の洗浄溶液内に沈められる。変換器１０４は、ウエハ１１０を洗浄するためのエネルギを供給する。洗浄溶液は、通例、ウエハの表面と、変換器１０４によって供給される音響エネルギによってウエハの表面から除去された粒子と、の間のゼータ電位を変化させて、粒子の再付着を防止する。洗浄溶液の濃度は、表面の間の適切なゼータ電位を維持するために、かなり厳しい範囲に維持されることが好ましい。しかしながら、基板の表面に設けられた線、コンタクト、空間、ビアなどの形状に対しては、その形状によって規定された領域内の粒子と基板との境界において、特定の洗浄溶液濃度を維持できない、すなわち、洗浄溶液を補給できないことから、粒子が基板の表面に再付着（リデポジット）する場合がある。さらに、（単一槽の超音波システムにおけるように）変換器が基板の表面に対して垂直に配置される場合には、アスペクト比の大きい形状は、形状における低い領域を、影で覆う、すなわち、超音波エネルギおよびキャビテーションから遮断（シールド）することがある。変換器がウエハ表面に平行に配置される場合には、キャビテーションは形状内で起きることが可能であるが、アコースティックストリーミングの方向は、分離された粒子を基板から遠ざけることを促進するのに最も好ましい方向にならない。しかしながら、この構成は、それぞれの結晶の間のギャップを引き起こす。この構成の他の欠点は、圧電結晶によって供給された音響エネルギは平行である性質があることから、ギャップにより、同等のレベルの音響エネルギを供給されない領域が生じることである。したがって、ウエハ１１０の一部の領域は、一様な音響エネルギを受けないため、一様な洗浄が実現されない。
【手続補正３】
【補正対象書類名】明細書
【補正対象項目名】００３１
【補正方法】変更
【補正の内容】
【００３１】
さらに図８Ａを参照すると、音波の方向が音響エネルギ源から切り離されていることを理解されたい。さらに、洗浄装置２１８の構成は、音響エネルギ生成部２２３の構成要素への外部からのアクセスを可能にする。一実施形態では、洗浄装置２１８は、高さの低い槽であってよく、すなわち、基板２２２は、基部２２８の約１／２インチ以内に配置される。基部２２８は、部分２２８ａで示されるように、面２３０を越えて伸ばされてもよい。本実施形態では、部分２２８ａ、部分２３２ａ、基部２２８の高くなった部分、および面２３０で規定される領域は、空間になっている。別の実施形態では、面２３０が調節可能であることにより、面２３０と基部２２８との間の角度を調節することができる。したがって、面２３０が動くことにより、反射された音響エネルギが、基板２２２の表面２２２ａを走査する。そのため、反射された音響エネルギは、縁部領域に同等量のエネルギが施されるように、基板の中央領域ではなく基板２２２の縁部領域付近に集中されてもよい。もちろん、後に示すように、基板２２２が回転していてもよい。
【手続補正４】
【補正対象書類名】明細書
【補正対象項目名】００３９
【補正方法】変更
【補正の内容】
【００３９】
図１０Ａは、本発明の一実施形態に従って、基板の両側を洗浄するよう構成された洗浄装置を示す簡略な説明図である。洗浄装置２１８は、基板２２２の両面に音響エネルギを供給するよう構成された音響エネルギ生成部２２３および２４２ａを備える。音響エネルギ生成部２２３で生成された音響エネルギは、反射面２３０で反射されて、基板２２２の下面２２２ａを洗浄する。音響エネルギ生成部２４２ａは、音響エネルギを２２２の上面２２２ｂに供給して、基板の上面の洗浄を促進するよう構成されている。ここで、音響エネルギ生成部２４２ａは、基板２２２の上面２２２ｂに対してわずかな角度の付いた直線２４０ｂで示すように、音響エネルギを生成するよう構成されている。一実施形態では、音響エネルギ２４０ｂと上面２２２ｂとの間の角度は、約０度から５度の間である。音響エネルギ２４０ｂの一部は、直線２４６で示すように、上面２２２ｂで反射されることを理解されたい。したがって、反射面２４４ａは、一旦反射された音響エネルギ２４６を、直線２４８で示すように、上面２２２ｂに戻すように反射するよう配置されてよい。もちろん、反射されたエネルギは、反射されるごとに力を失うが、音響エネルギを増大させれば、基板２２２の洗浄の助けとなる。
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
通信経路を介してネットワークベースの装置からユーザ装置におけるユーザにテレビ番組が配信される双方向テレビシステムにおいて、双方向テレビアプリケーションを使用する方法であって、該ネットワークベースの装置、該ユーザ装置、および、該双方向テレビアプリケーションは、テレビ番組を録画するビデオレコーダを実装するように使用され、
該方法は、
興味のあるテレビ番組に対するリマインダを該ユーザが設定することを可能にするオンスクリーンオプションを所与のユーザの該ユーザ装置に表示することであって、該興味のあるテレビ番組は、スケジュールされた放送時間を有し、該オンスクリーンオプションは、該スケジュールされた放送時間、または、該興味のあるテレビ番組の放送がスケジュールされていない後の時間に対して該ユーザが該リマインダを設定することを可能にする、ことと、
該興味のあるテレビ番組に対する該リマインダを該ユーザ装置に表示することと、
該表示されたリマインダに応答して、該ユーザが該ビデオレコーダを用いて、該ビデオレコーダから該興味のあるテレビ番組のコピーを該ユーザ装置上で再生することを可能にすることと
を包含する、方法。
【請求項２】
前記興味のあるテレビ番組を直ちに視聴する機会を前記ユーザに提供するリマインダを有するオンスクリーンオプションを表示することをさらに包含する、請求項１に記載の方法。
【請求項３】
前記リマインダを後の時間に再スケジュールする機会を前記ユーザに提供するリマインダを有するオンスクリーンオプションを表示することをさらに包含する、請求項１に記載の方法。
【請求項４】
通信経路を介してネットワークベースの装置からユーザ装置におけるユーザにテレビ番組を配信する際に双方向テレビアプリケーションが使用される双方向テレビシステムにおいて使用されるユーザ装置であって、該ネットワークベースの装置、該ユーザ装置、および、該双方向テレビアプリケーションは、テレビ番組を録画するビデオレコーダを実装するように使用され、
各ユーザに対するユーザ装置は、
興味のあるテレビ番組に対するリマインダを該ユーザが設定することを可能にする該ユーザ用のオンスクリーンオプションを表示する手段であって、該興味のあるテレビ番組は、スケジュールされた放送時間を有し、該オンスクリーンオプションは、該スケジュールされた放送時間、または、該興味のあるテレビ番組の放送がスケジュールされていない後の時間に該ユーザが該リマインダを設定することを可能にする、手段と、
該興味のあるテレビ番組に対する該リマインダを表示する手段と、
該表示されたリマインダに応答して、該ユーザが該ビデオレコーダを用いて、該ビデオレコーダから該興味のあるテレビ番組のコピーを再生することを可能にする手段と
を備える、ユーザ装置。
【請求項５】
前記興味のあるテレビ番組を直ちに視聴する機会を前記ユーザに提供するリマインダを有するオンスクリーンオプションを表示する手段をさらに備える、請求項４に記載のユーザ装置。
【請求項６】
前記リマインダを後の時間に再スケジュールする機会を前記ユーザに提供するリマインダを有するオンスクリーンオプションを表示する手段をさらに備える、請求項４に記載のユーザ装置。
【手続補正２】
【補正対象書類名】明細書
【補正対象項目名】００９７
【補正方法】変更
【補正の内容】
【００９７】
ユーザが、オンスクリーン・オプション又はリモート制御キーを選択して、パレンタル・コントロール・ロック・オプションにアクセスするのに応じ、双方向性テレビ・アプリケーションは、図２３ａのパレンタル・コントロールディスプレー画面２３００のようなディスプレー画面を表示することができる。メインメニュー、選択した番組、又は他の任意の妥当な番組案内画面からパレンタル・コントロール・オプションにアクセスすることができる。ユーザは、各種の基準を選定することにより、選択した番組又は番組内容の範囲に対し保護者ロックを設定することができる。例えば、タイトル２３０５、ＴＶ評価２３１０、映画評価２３１５、チャンネル２３２０、又は他の任意の妥当な基準に従って番組を封鎖することを選択できる。封鎖評価・オプション２３１０及び２３１５によって、ユーザは、所定の評価（例、選定した番組の格付けと同一な評価、又はユーザが入力した評価又は評価範囲）のすべての番組を封鎖することができる。ユーザには、例えば、時間封鎖オプション２３２５（する／しない）を選択することによって、保護者ロック設定を適用するための他のオプションが提供される。また、ユーザは、オプション２３３０を選択することにより、成人向けタイトルを隠すか、見せるかを選択することができる。また、画面２３００に他の各種オプションを備えることもできる。
【手続補正３】
【補正対象書類名】明細書
【補正対象項目名】００９８
【補正方法】変更
【補正の内容】
【００９８】
ユーザが、時間封鎖オプション２３２５に対し「する」を選択した場合、例えば、図２３ｂの画面２３３５のような封鎖サブメニューを提示することができる。ユーザは、画面２３３５のオンスクリーン・オプションを使って、パレンタル・コントロール時限の開始時間（オプション２３４０）及び終了時間（オプション２３４５）を設定することができる。ユーザはオプション２３５０を使って、パレンタル・コントロールの有効時期を、週のすべての日、特定の日のグループ（例、平日又は週末日）、又は特定の一日又は複数日に設定することができる。設定完了したら、ユーザはＯＫキー８４を押せばよい。また、画面２３３５の一部として他の各種のオプションを備えることができる。
【手続補正４】
【補正対象書類名】明細書
【補正対象項目名】００９９
【補正方法】変更
【補正の内容】
【００９９】
図２３ａ及び２３ｂのパレンタル・コントロール画面２３００及び２３３５は、単なる例示である。保護者（又は他のユーザ）は、任意の妥当なオンスクリーン・オプション又は他のユーザ・インタフェース構成を使って、特定時間中に放送される番組内容、一つ又は複数の特定チャンネルの番組内容、所定評価の番組内容、個別事例の特定番組等を封鎖（パレンタル・コントロール）することができる。
【手続補正５】
【補正対象書類名】図面
【補正対象項目名】図２３ａ
【補正方法】変更
【補正の内容】
【図２３ａ】
2006518574.tif 000001
【手続補正６】
【補正対象書類名】図面
【補正対象項目名】図２３ｂ
【補正方法】変更
【補正の内容】
【図２３ｂ】
2006518574.tif 000002
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
情報を伝送するためのデータファイルのコピー防止方法であって、
前記情報は、伝送に好適なフォーマットを有するデータファイルに符号化されており、
前記方法は、以下に定義するＤＳＶデータパターンを前記データファイルに組み込むステップを有し、
前記ＤＳＶデータパターンは、前記データファイルが光ディスクに正しく書き込めず、確実に読み出せないように選択され、かつ配置されることを特徴とする方法。
【請求項２】
請求項１に記載の方法であって、
前記データファイルは符号化データブロックのストリームを有し、
前記方法は、情報コンテントを有しない前記ストリーム中の選択されたブロックに前記ＤＳＶデータパターンを組み込むステップをさらに有することを特徴とする方法。
【請求項３】
請求項２に記載の方法であって、
前記ＤＳＶデータパターンは、前記選択されたブロックまたは各選択されたブロックにのみ組み込まれていることを特徴とする方法。
【請求項４】
請求項１ないし３いずれか一項に記載の方法であって、
前記データファイルフォーマットはＭＰＥＧ、ウィンドウズ（登録商標）圧縮メディアファイル、ＡＶＩファイル、その他の符号化圧縮ビデオ用ファイルフォーマットであることを特徴とする方法。
【請求項５】
請求項１ないし４いずれか一項に記載の方法であって、
前記ＤＳＶデータパターンは光ディスクライターにＤＳＶ問題を起こさせるように選択されることを特徴とする方法。
【請求項６】
請求項１ないし５いずれか一項に記載の方法であって、
前記ＤＳＶデータパターンは、前記ＤＳＶが大きな絶対値を有するように選択されることを特徴とする方法。
【請求項７】
請求項１ないし６いずれか一項に記載の方法であって、
前記ＤＳＶデータパターンは値の繰り返しパターンであることを特徴とする方法。
【請求項８】
請求項１ないし７いずれか一項に記載の方法であって、
前記ＤＳＶデータパターンのサイズは所定の大きさであることを特徴とする方法。
【請求項９】
請求項１ないし８いずれか一項に記載の方法であって、
前記ＤＳＶデータパターンは急激な変化率を有するＤＳＶとなるように構成されていることを特徴とする方法。
【請求項１０】
請求項１ないし９いずれか一項に記載の方法であって、
前記ＤＳＶデータパターンは、非常に低い周波数成分を有するＤＳＶとなるように構成されていることを特徴とする方法。
【請求項１１】
請求項１ないし１０いずれか一項に記載の方法であって、
伝送される前記情報はオーディオデータ、数値データ、テキストデータ、ビデオデータ、グラフィックスデータ、プログラムデータ、アニメーションデータ、および／またはその他のデータのうち１つ以上を有することを特徴とする方法。
【請求項１２】
情報の伝送に使用されるデータファイルであって、
前記データファイルは、前記情報が符号化されたブロックのストリームを有し、
前記ブロックのストリーム中の選択されたブロックに、以下に定義するＤＳＶデータパターンが組み込まれていることを特徴とするデータファイル。
【請求項１３】
請求項１２に記載のデータファイルであって、
前記ＤＳＶデータパターンは、前記選択されたブロックまたは各選択されたブロックの一部だけに組み込まれていることを特徴とするデータファイル。
【請求項１４】
請求項１２または１３に記載のデータファイルであって、
前記ＤＳＶデータパターンは情報コンテントを有さない選択されたブロックにだけ組み込まれたことを特徴とするデータファイル。
【請求項１５】
請求項１２ないし１４いずれか一項に記載のデータファイルであって、
前記ＤＳＶデータパターンはデータを含むブロックの不使用エリアに組み込まれていることを特徴とするデータファイル。
【請求項１６】
請求項１２ないし１５いずれか一項に記載のデータファイルであって、
前記データファイルはＭＰＥＧ、ウィンドウズ（登録商標）圧縮メディアファイル、ＡＶＩファイル、その他の符号化圧縮ビデオ用ファイルフォーマットを有することを特徴とするデータファイル。
【請求項１７】
請求項１２ないし１６いずれか一項に記載のデータファイルであって、
前記データファイルはＭＰＥＧフォーマットであり、
前記ブロックのストリームはビデオデータと、オーディオデータと、交互に配列されたパディングストリームブロックとを有し、
前記ＤＳＶデータパターンは情報コンテントを有さない選択されたブロックに組み込まれていることを特徴とするデータファイル。
【請求項１８】
請求項１７に記載のデータファイルであって、
前記ＤＳＶデータパターンはパディングストリームブロックに組み込まれていることを特徴とするデータファイル。
【請求項１９】
請求項１７または１８に記載のデータファイルであって、前記ＤＳＶデータパターンはオーディオデータブロックに組み込まれていることを特徴とするデータファイル。
【請求項２０】
請求項１２ないし１９いずれか一項に記載のデータファイルであって、
前記ＤＳＶデータパターンは光ディスクライターにＤＳＶ問題を起こさせるように選択されていることを特徴とするデータファイル。
【請求項２１】
請求項１２ないし２０いずれか一項に記載のデータファイルであって、
前記ＤＳＶデータパターンは、前記ＤＳＶが大きな絶対値を有することを保証するように選択されていることを特徴とするデータファイル。
【請求項２２】
請求項１２ないし２１いずれか一項に記載のデータファイルであって、
前記ＤＳＶデータパターンは値の繰り返しパターンであることを特徴とするデータファイル。
【請求項２３】
請求項１２ないし２２いずれか一項に記載のデータファイルであって、
前記ＤＳＶデータパターンのサイズは所定の大きさであることを特徴とするデータファイル。
【請求項２４】
請求項１２ないし２３いずれか一項に記載のデータファイルであって、
前記ＤＳＶデータパターンは、急激な変化率を有するＤＳＶとなるよう構成されていることを特徴とするデータファイル。
【請求項２５】
請求項１２ないし２４いずれか一項に記載のデータファイルであって、
前記ＤＳＶデータパターンは、非常に低い周波数を有するＤＳＶとなるよう構成されていることを特徴とするデータファイル。
【請求項２６】
請求項１２ないし２５いずれか一項に記載のデータファイルが記録された光ディスク。
【請求項２７】
請求項１２ないし２５いずれか一項に記載のデータファイルを含む記憶デバイス。
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
（ａ）トレイの周囲を画定するリム表面と、滅菌インジケータを受容するための窪んだ第１のトラフとを含む、滅菌インジケータを保持するためのトレイであって、前記リム表面が、前記リムを通って前記窪んだ第１のトラフまで延在する、その全長に沿って離間された複数の溝を含有するトレイと、
（ｂ）滅菌手順の有効性を試験するための、前記トレイの窪んだ第１のトラフ内の、活性酵素源を含む滅菌インジケータと、
（ｃ）前記トレイのリム表面と関連され、前記リム表面と共に実質的に滅菌剤不浸透性のシールを形成する蓋であって、前記トレイ内の溝と共に複数のチャネルを形成して、滅菌剤が前記チャネルを通って前記トレイに入り、前記滅菌インジケータと接触できるようにする蓋と、
（ｄ）前記窪んだ第１のトラフと流体連通し、インジケータ試薬混合物を有する第２のトラフ
を含む、滅菌手順の有効性を試験するための滅菌テストパック。
【請求項２】
前記窪んだ第１のトラフがｚタイプ形状である、請求項１に記載のテストパック。
【請求項３】
前記活性酵素源が、バチルス・ステアロサーモフィラス胞子及び枯草菌胞子より選ばれる微生物である、請求項１に記載のテストパック。
【請求項４】
前記活性酵素源が精製酵素である、請求項１に記載のテストパック。
【請求項５】
前記活性酵素源が錠剤の形態である、請求項１記載のテストパック。
【請求項６】
前記第２のトラフ内のインジケータ試薬が初めは密封されているが、開封されると前記インジケータ試薬を前記活性酵素源と接触させて滅菌の表示を提供できるようにする、請求項１に記載のテストパック。
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
ＬＬ−３６、ＬＬ−３５、ＬＬ−３４、ＬＬ−３３、ＬＬ−３１、ＬＬ−２８、ＬＬ−２７およびＬＬ−２５（それぞれ配列番号２、配列番号３、配列番号４、配列番号５、配列番号７、配列番号１０、配列番号１１、配列番号１３、配列番号１４、配列番号１５、配列番号１６、配列番号１７、および、配列番号１８の配列を有する）  からなる群より選択される、ＬＬ−３７のＮ末端フラグメント（配列番号１）の少なくとも２５個のアミノ酸の配列を含むペプチド、ならびにその製薬上許容できる塩および誘導体。
【請求項２】
ＬＬ−３７（配列番号１）の配列のＣ末端に１〜３個のアミノ酸が付加されたペプチド。
【請求項３】
配列番号１９の配列を有するＬＬ−３８からなる、請求項２に記載のペプチド。
【請求項４】
医薬品として使用するための、請求項１〜３のいずれか一項に記載のペプチド。
【請求項５】
創傷治癒、細胞増殖または上皮再生のための医薬品を製造するための、請求項１〜３のいずれか一項に記載のペプチド。
【請求項６】
上皮再生、または、創傷のある上皮もしくは間質の治癒のための医薬品を製造するための、
ａ）配列番号１；
ｂ）配列番号１のＮ末端フラグメントの少なくとも２５個のアミノ酸を含む配列；
からなる群より選択されるアミノ酸配列を有するペプチド（該ペプチドは、非溶解性のメカニズムによって、上皮および／または間質細胞の増殖を増強する）、ならびにその製薬上許容できる塩および誘導体の使用。
【請求項７】
ペプチドが、酢酸塩の形態のＬＬ−３７（配列番号１）である、請求項６に記載の使用。
【請求項８】
ペプチドが、ＬＬ−３６、ＬＬ−３５、ＬＬ−３４、ＬＬ−３３、ＬＬ−３２、ＬＬ−
３１、ＬＬ−３０、ＬＬ−２９、ＬＬ−２８、ＬＬ−２７、ＬＬ−２６、および、ＬＬ−２５（それぞれ、配列番号２、配列番号３、配列番号４、配列番号５、配列番号６、配列番号７、配列番号８、配列番号９、配列番号１０、配列番号１１、配列番号１２、配列番号１３の配列を有する）からなる群より選択される、請求項６に記載の使用。
【請求項９】
静脈不全、代謝機能障害、または、免疫学的な異常調節による慢性潰瘍の治療用の医薬品を製造するための、請求項６〜８のいずれか一項に記載のペプチドの使用。
【請求項１０】
外傷またはやけどによる創傷の治療用の医薬品を製造するための、請求項６〜８のいずれか一項に記載のペプチドの使用。
【請求項１１】
極性脂質キャリアーと調合された、その製薬上許容できる塩または誘導体の形態で、
ａ）配列番号１；および
ｂ）配列番号１のＮ末端フラグメントの少なくとも２５個のアミノ酸を含む配列
からなる群より選択されるアミノ酸配列を含むペプチドを含む医薬組成物。
【請求項１２】
ペプチドが二重層を形成する極性脂質と水溶液とからなるキャリアーと組合されている請求項１１に記載の医薬組成物。
【請求項１３】
二重層を形成する極性脂質は、リン脂質、ガラクトリピドおよびスフィンゴ脂質からなる群より選択される、請求項１１または１２に記載の医薬組成物。
【請求項１４】
ペプチドは、酢酸塩の形態である、請求項１１〜１３のいずれか一項に記載の医薬組成物。
【請求項１５】
二重層を形成する極性脂質は、少なくとも５０％（ｗ／ｗ）のジガラクトシルジアシルグリセロールを含む、請求項１１〜１４のいずれか一項に記載の医薬組成物。
【請求項１６】
ペプチドは、酢酸塩の形態のＬＬ−３７である、請求項１１〜１５のいずれか一項に記載の医薬組成物。
【請求項１７】
ＣＰＬ−ガラクトリピドと組合わせた、ＬＬ−３７の酢酸塩の複合体を含む、請求項１１〜１６のいずれか一項に記載の医薬組成物。
【請求項１８】
塩としてのペプチドと、ガラクトリピドキャリアーとの比率は、重量比で、１：１０〜１：５０である、請求項１１〜１７のいずれか一項に記載の医薬組成物。
【請求項１９】
インビトロでの非溶解性のメカニズムによる上皮および／または間質細胞の増殖のための、その製薬上許容できる塩または誘導体の形態の、
ａ）配列番号１；および
ｂ）配列番号１のＮ末端フラグメントの少なくとも２５個のアミノ酸を含む配列、
からなる群より選択されるアミノ酸配列を含むペプチドの使用。
【請求項２０】
増殖がインビトロでのヒトの自己由来の上皮および間質細胞の増殖である、請求項１９に記載の使用。
【請求項２１】
基礎培地と組合わせた、請求項１〜３および１９のいずれか一項に記載のＬＬ−３７またはペプチドを含む、上皮および／または間質細胞を培養するための増殖培地。
【請求項２２】
基礎培地中で、二重層を形成する極性脂質と組合わせて、請求項１〜３および１９のい
ずれか一項に記載のＬＬ−３７またはペプチドを含む、上皮および／または間質細胞を培養するための増殖培地。
【請求項２３】
極性脂質は、リン脂質、ガラクトリピドおよびスフィンゴ脂質からなる群より選択される、請求項２２に記載の培地。
【請求項２４】
インビボでの細胞移植のために、インビトロでのヒトの自己由来の上皮および間質細胞の増殖を増強する方法であって、健康な皮膚の切片から細胞を単離し、インビトロで該単離された細胞を請求項２１〜２３のいずれか一項に記載の増殖培地で培養し、続いて培養された細胞を回収し、創傷の治療に用いる、上記方法。
【請求項２５】
創傷が、熱傷または潰瘍である請求項２４に記載の方法。
【請求項２６】
請求項１〜３および１９のいずれか一項に記載のＬＬ−３７またはペプチド、および、細胞毒性を減少させる二重層を形成する極性脂質を含み、場合により、抗生物質、基礎培地、および、その他の慣用の添加剤と組合わせた、上皮および／または間質細胞を培養するためのキット。
【請求項２７】
細胞の増殖を増強するための、上皮および／または間質細胞のトランスフェクト、および、トランスジェニック発現のための、ｈＣＡＰ１８（配列番号２０）のｃＤＮＡ配列を含む遺伝子コンストラクトの使用。
【請求項２８】
細胞の増殖を増強するための、上皮および／または間質細胞のトランスフェクト、および、トランスジェニック発現のための医薬品を製造するための、ｈＣＡＰ１８（配列番号２０）のｃＤＮＡ配列を含む遺伝子コンストラクトの使用。
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
少なくとも1つのメガヌクレアーゼの、遺伝子疾患の予防、改善または治療を必要とする脊椎動物の肝臓において該遺伝子疾患を予防、改善または治療するために該脊椎動物にいずれの手段により投与される医薬品を製造するための使用。
【請求項２】
少なくとも1つのメガヌクレアーゼの、DNA媒介物を提示する感染性因子により引き起こされる疾患の予防、改善または治療を必要とする脊椎動物の肝臓において該疾患を予防、改善または治療するために該脊椎動物にいずれの手段により投与される医薬品を製造するための使用。
【請求項３】
少なくとも1つのメガヌクレアーゼの、該メガヌクレアーゼをヒト以外の脊椎動物の体内に導入することによる治療以外の目的のためのヒト以外の脊椎動物の肝臓組織のゲノム工学のための使用。
【請求項４】
前記メガヌクレアーゼが、ポリペプチドまたはプロモーター、例えば組織特異的プロモーターおよび／または誘導性プロモーターを含む適切な転写調節要素の制御下に該ポリペプチドをエンコードする配列を含むポリヌクレオチド構築物のいずれかとして用いることができることを特徴とする請求項1〜3のいずれか1つに記載の使用。
【請求項５】
前記メガヌクレアーゼが、単独でまたは適切な賦形剤もしくは担体の少なくともいずれかおよび／またはターゲティングDNAとともに投与されることを特徴とする請求項1〜4のいずれか1つに記載の使用。
【請求項６】
前記適切な賦形剤が、リポソーム、ポリエチレンイミンおよび膜転位ペプチドからなる群より選択されることを特徴とする請求項1〜5のいずれか1つに記載の使用。
【請求項７】
前記DNAのターゲティング断片が、標的遺伝子座と相同性を共有する配列で挟まれる対象の部位を改変する配列を含むことを特徴とする請求項1〜6のいずれか1つに記載の使用。
【請求項８】
前記相同な配列が、前記標的遺伝子座と少なくとも50 bp、好ましくは100 bpより多く、より好ましくは200 bpより多くを有することを特徴とする請求項7に記載の使用。
【請求項９】
対象の部位を改変する前記配列が、遺伝子損傷を修復するための遺伝子の正しい配列であることを特徴とする請求項7または8に記載の使用。
【請求項１０】
前記メガヌクレアーゼが、ホーミングエンドヌクレアーゼ、ジンクフィンガーヌクレアーゼおよびいずれの当初のメガヌクレアーゼに由来するメガヌクレアーゼ変異型であって、当初のメガヌクレアーゼの部位とは異なる認識・切断部位を示す変異型からなる群から選択されることを特徴とする請求項1〜9のいずれか1つに記載の使用。
【請求項１１】
前記メガヌクレアーゼをエンコードする前記配列および／またはDNAの前記ターゲティング断片がベクターに挿入されていることを特徴とする請求項1〜6または10のいずれか1つに記載の使用。
【請求項１２】
前記メガヌクレアーゼが、実質的に非免疫原性であることを特徴とする請求項1〜11のいずれか1つに記載の使用。
【請求項１３】
前記メガヌクレアーゼが、単一遺伝子劣性疾患の予防、改善または治療のために対象の部位を修復可能な配列を含む請求項7で規定したDNAのターゲティング断片とともに用いられることを特徴とする請求項1および4〜12のいずれか1つに記載の使用。
【請求項１４】
前記メガヌクレアーゼが、優性または複合の異型接合突然変異を原因とする遺伝子疾患を予防、改善または治療するために単独であるいは少なくとも1つの適切な賦形剤および／または担体とともに用いられることを特徴とする請求項1および4〜12のいずれか1つに記載の使用。
【請求項１５】
前記感染性因子がウイルスであることを特徴とする請求項2および7〜12のいずれか1つに記載の使用。
【請求項１６】
前記ウイルスが、HBVであることを特徴とする請求項15に記載の使用。
【請求項１７】
前記メガヌクレアーゼをエンコードする前記配列およびDNAの前記ターゲティング断片が同じベクターに挿入されていることを特徴とする請求項1〜16のいずれか1つに記載の使用。
【手続補正書】
【提出日】平成19年1月25日(2007.1.25)
【手続補正１】
【補正対象書類名】明細書
【補正対象項目名】００３２
【補正方法】変更
【補正の内容】
【００３２】
本発明の化合物は、それらが薬理学的活性を有するという点で有益である。従って、それらは、リウマチ性関節炎、骨関節炎、乾癬、アレルギー性皮膚炎、喘息、慢性閉塞性肺疾患(ＣＯＰＤ)、気道過敏症、敗血症ショック、糸球体腎炎、炎症性腸疾患、クローン病、潰瘍性大腸炎、アテローム硬化症、悪性細胞の成長と転移、筋芽細胞性白血病、糖尿病、アルツハイマー病、髄膜炎、骨粗鬆症、火傷、虚血性心疾患、卒中、静脈瘤、サルコイドーシス、鼻炎、急性疼痛および慢性疼痛、多発性硬化症、骨髄腫、悪性および炎症性および神経変性疾患に関連する骨減少、眼の疾患(例えば強膜炎、上強膜炎、ブドウ膜炎、シェーグレン症候群−乾性角結膜炎、強膜角膜炎、視神経炎、糖尿病性網膜症、網膜色素変性症、抗マラリア剤誘発網膜症)の処置に使用するための医薬として適応される。
【手続補正２】
【補正対象書類名】明細書
【補正対象項目名】００５４
【補正方法】変更
【補正の内容】
【００５４】
本発明は、さらに、本発明の化合物と、Ｉ型インシュリン様成長因子(ＩＧＦ−１)模倣薬との併用に関する。
本発明は、さらに、本発明の化合物と、プレドニゾン、プレドニゾロン、フルニソリド、トリアムシノロン アセトニド、ベクロメタゾン ジプロピオネート、ブデソニド、プロピオン酸フルチカゾン、およびフランカルボン酸モメタゾンを含む、吸入グルココルチコイドとの全身への副作用が軽い併用に関する。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
シールステーションへ供給されるように構成される薄膜管を含み、シールステーションは使用により、管の幅全体にシールを適用し、離間した２個のシール間において管内に空気を封じ込めるように構成されており、空気は管の開放端から管を通り、離間した２個のシール間で封じ込められるように供給されるエアバッグ製造装置であって、
管は管の軸方向範囲においてしわが寄せられるように構成されている装置。
【請求項２】
管は供給ステーションからシールステーションへ供給されるように構成され、供給ステーションは管を通る通路を維持するように構成される請求項１に記載の装置。
【請求項３】
離間した２個のシール間に閉じ込められる空気は、しわが寄せられた管の全長に沿って管の中に何物もない状態で、管の内壁を通過するように構成される請求項１または２に記載の装置。
【請求項４】
供給ステーションは中空部材を含み、管は中空部材の周囲に配置される請求項２または３に記載の装置。
【請求項５】
離間した２個のシール間に封じ込められる空気は、中空部材の内部を通過するように構成される請求項４に記載の装置。
【請求項６】
離間した２個のシール間に封じ込められる空気は、管の露出内壁の上方の、管の内部を通過するように構成される請求項１乃至５のいずれか一項に記載の装置。
【請求項７】
管にしわを寄せる間に引き起こされる圧縮によってのみ管の全長にわたる開口を維持することにより、しわが寄せられた管は開口を維持するように構成される請求項１乃至６のいずれか一項に記載の装置。
【請求項８】
供給ステーションは装置に取り外し可能に取り付けられる請求項２および請求項２のいずれかの従属項に記載の装置。
【請求項９】
薄膜管は伸張機を越えて通過するように構成され、伸張機は、管を横断する方向であってシールステーションによりシールが形成される方向の寸法が、シールを横断する方向の寸法よりも大きい請求項１乃至８のいずれか一項に記載の装置。
【請求項１０】
シールステーションの操作頻度は調節可能である請求項１乃至９のいずれか一項に記載の装置。
【請求項１１】
シールステーションを通過する管の送り速度は調節可能である請求項１乃至１０のいずれか一項に記載の装置。
【請求項１２】
離間する２個のシール間において管に封じ込められる空気はファンにより供給される請求項１乃至１１のいずれか一項に記載の装置。
【請求項１３】
袋が形成される管の一端から管を通りシールステーションを通過するように空気を管へ供給する工程と、シールステーションにより管を横切る方向にシールをもたらす工程とを含む空気収容袋の形成方法であって、
管の軸方向範囲においてしわが寄せられた状態で、管を介して空気を通過させる工程をさらに含む方法。
【請求項１４】
機械に管を装着した時に、管を、伸張機を越えて通過させる工程と、管により伸張機を支持する工程とを含む請求項１３に記載の方法。
【請求項１５】
所定長さの袋に入れられる空気量を変更する工程を含む請求項１３または１４に記載の方法。
【請求項１６】
請求項１乃至１２のいずれか一項に記載の薄膜管が用いられる場合の、薄膜管を備えるカートリッジ。
【請求項１７】
エアバッグが形成される長手状管を含み、管はその全長中に通路を含み、使用においてエアバッグ内に空気を含むように空気は通路を通過させられる、使用においてエアバッグに形成されるカートリッジであって、
管はその長手軸に沿ってしわが寄せられており、しわが寄せられた薄膜の全長は伸張させられた薄膜の全長よりも短いカートリッジ。
【請求項１８】
薄膜管は薄膜管の容器の少なくとも一端から離れている請求項１７に記載のカートリッジ。
【請求項１９】
管の中に延在する長手状部材を含み、空気は長手状部材内を流通するように構成される請求項１７または１８に記載のカートリッジ。
【請求項２０】
エアバッグ内に空気を含むように、管を介して、空気を通過させる工程を備えるエアバッグの製造において、長手軸方向においてしわが寄せられる長手状の管を備えるカートリッジの使用。
【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
少なくとも１種類の活性物質の経皮または経粘膜投与用の医薬組成物であって、
皮膚吸収促進剤としての少なくとも１種類の脂肪酸、少なくとも１種類のアルコール系媒体、および当該医薬組成物中の前記脂肪酸を安定化させることができる少なくとも１種類の安定剤を含むことを特徴とする医薬組成物。
【請求項２】
前記脂肪酸が、カプリン酸、ラウリン酸、ミリスチン酸、パルミチン酸、ステアリン酸、オレイン酸、パルミトレイン酸、リノール酸およびリノレン酸からなる群から選択される請求項１に記載の医薬組成物。
【請求項３】
脂肪酸の含有量が０．１％〜２０％であり、これらのパーセントが医薬組成物１００ｇに対して重量基準で表されたものである請求項１または２に記載の医薬組成物。
【請求項４】
前記安定剤が、緩衝剤および／または前記脂肪酸のエステルからなる群から選択される請求項１〜３のいずれかに記載の医薬組成物。
【請求項５】
前記脂肪酸エステルが、オレイン酸エチル、オレイン酸イソプロピル、ミリスチン酸イソプロピル、パルミチン酸イソプロピル、オクタン酸エチル、ドデカン酸エチル、リノール酸エチルおよびリノレン酸エチルからなる群から選択される請求項４に記載の医薬組成物。
【請求項６】
脂肪酸エステルの含有量が０．１％〜１０％であり、これらのパーセントが医薬組成物１００ｇに対して重量基準で表されたものである請求項５に記載の医薬組成物。
【請求項７】
前記アルコール系媒体が、エタノールおよびイソプロパノールからなる群から選択される請求項１〜６のいずれかに記載の医薬組成物。
【請求項８】
ゲルの形態であり、
ゲル化剤の含有量が０．２％〜３０％であり、これらのパーセントが製剤１００ｇに対して重量基準で表されたものである請求項１〜７のいずれかに記載の医薬組成物。
【請求項９】
前記活性物質が、エストロゲン類、プロゲスチン類、アンドロゲン類、抗エストロゲン類および抗アンドロゲン類、ならびにそれらの混合物からなる群から選択される請求項１〜８のいずれかに記載の医薬組成物。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
第１のシェル状部材と第２の作動部材とを含み、前記２つの部材が互いに別個に独立し、
前記第１のシェル状部材が、外壁面と内壁面とを持つ側壁と、エーロゾル容器に取り付けるための開口底部と、周囲のある開口を持つ上部とを有し、
前記第２の作動部材が、前記第１の部材内に底部で取り付けられて接続され、非作動時に前記上部に対して上方位置へ偏倚されるフィンガ作動パッドと、前記フィンガ作動パッドから垂下してエーロゾル・バルブ・ステムに接続される垂下管と、垂下管に流体接続された、出口ノズル内で終端する出口管とを有し、
非作動位置にある前記フィンガ作動パッドが、前記第１の部材の前記上部の前記開口の周囲を越えて半径方向に延びる周囲を有することにより、
前記フィンガ・パッドが非作動位置にあるときに、前記開口に直に隣接する前記第１の部材の前記上部の下に位置して上部に接触することによって、前記第１の部材上部の前記開口の前記周囲と、前記フィンガ・パッド上面との間に、視認される隙間を残さず、前記アクチュエータの前記エーロゾル・バルブ・ステムへの組付け時に、前記フィンガ作動パッドが前記開口を通って押し出されるのを防止する、エーロゾル・バルブ・アクチュエータ。
【請求項２】
前記第２の部材が、スナップ嵌合接続により、前記第１の部材の前記内壁面に接続される、請求項１に記載のエーロゾル・バルブ・アクチュエータ。
【請求項３】
前記第１の部材の側壁が、前記出口ノズルに直に隣接する製品分与開口を有し、前記出口ノズルが、前記第１の部材と第２の部材との組立て時に、前記製品分与開口にスナップ嵌合して前記開口内へ延びる外端部を有する、請求項１に記載のエーロゾル・バルブ・アクチュエータ。
【請求項４】
前記第１の部材の前記内壁面が、前記内壁面から延びるブラケットを有し、前記ブラケットがスロットを含み、前記第２の部材の前記出口ノズルが、前記第１の部材と第２の部材との組立て時に、前記スロットに嵌入する側部延長部を持つ垂下ブラケットを有し、前記出口ノズルの外端部が、前記垂下ブラケットの前方に延び、前記側壁製品分与開口にスナップ嵌合して開口内へ延びるように寸法を定められることにより、前記アクチュエータのスプレ騒音を小さくする、請求項３に記載のエーロゾル・バルブ・アクチュエータ。